(57)【要約】      （修正有）【課題】ヤエンをイカの下方に位置させた後に、イカに掛針を確実に掛けることができるイカ釣り用ヤエンを提供する。【解決手段】線材からなる支持杆と、該支持杆の先端側に配設した掛針と、支持杆の基端側及びそれより掛針側の位置に立設した支柱２０Ａ等のそれぞれの先端に配設した線材を螺旋形状に形成してなる道糸挿通部２Ａ等とを備え、掛針側の道糸挿通部２Ａが、該道糸挿通部２Ａの道糸挿通空間２１の頂部２１ａが鋭角をなし、かつ、隣接する線材間に道糸の先端に配設した嵌合体が嵌り込む隙間２２を設けて２回以上周回して形成する。【選択図】図２
0003161012.tif 000002
【実用新案登録請求の範囲】
【請求項１】
線材からなる支持杆と、該支持杆の先端側に配設した掛針と、支持杆の基端側及びそれより掛針側の位置に立設した支柱のそれぞれの先端に配設した線材を螺旋形状に形成してなる道糸挿通部とを備えたイカ釣り用ヤエンにおいて、前記掛針側の道糸挿通部が、該道糸挿通部の道糸挿通空間の頂部が鋭角をなし、かつ、隣接する線材間に道糸の先端に配設した嵌合体が嵌り込む隙間を設けて２回以上周回して形成されてなることを特徴とするイカ釣り用ヤエン。
【請求項２】
前記嵌合体が、サルカンであることを特徴とする請求項１記載のイカ釣り用ヤエン。
【請求項３】
前記掛針側の道糸挿通部の反掛針側に、道糸を案内する回転体を配設したことを特徴とする請求項１又は２記載のイカ釣り用ヤエン。
【請求項４】
前記支持杆を、主支持杆と、該主支持杆の先端側に向けて延出するように、主支持杆の途中から分岐させて取り付けた副支持杆とから構成し、主支持杆及び副支持杆の少なくとも先端に掛針を配設するとともに、主支持杆に対する副支持杆の分岐位置を調節する分岐位置調節手段を備えたことを特徴とする請求項１、２又は３記載のイカ釣り用ヤエン。
【請求項５】
前記支持杆の基端に、発光部材を取り付ける取付部を形成したことを特徴とする請求項１、２、３又は４記載のイカ釣り用ヤエン。
【考案の詳細な説明】
【技術分野】
【０００１】
本考案は、イカ釣りに用いられるヤエンに関し、特に、ヤエンをイカの下方に位置させた後に、イカに掛針を確実に掛けることができるようにしたイカ釣り用ヤエンに関するものである。
【背景技術】
【０００２】
従来、イカ釣り用ヤエンとして、図７に示すように、線材からなる支持杆５１と、該支持杆５１の先端５１ｂ側に配設した掛針３と、支持杆５１の基端５１ａ側及びそれより掛針３側の位置に立設した支柱５２Ａ、５２Ｂのそれぞれの先端に配設した線材を螺旋形状に形成してなる道糸挿通部５３Ａ、５３Ｂとを備えるようにしたものが提案され、実用化されている（例えば、特許文献１−２参照）。
【０００３】
このイカ釣り用ヤエン５０を用いてイカを釣る場合、まず、道糸４の先端に餌魚を取り付け、これを海中に投入し、イカが餌魚を捕食しようと餌魚に抱きついている状態で、イカ釣り用ヤエン５０の前後の道糸挿通部５３Ａ、５３Ｂに道糸４を挿通して、これを海中に投入する。
海中に投入されたヤエン５０は、支持杆５１の基端５１ａ側に配設した錘７の作用によって、道糸４に沿って海中を移動し、道糸４の先端に取り付けた餌魚の下方、すなわち、餌魚に抱きついているイカの下方に到達する。
この状態で、道糸４を一旦弛ませることによって、ヤエン５０を基端側の道糸挿通部５３Ａを中心にして図７（ａ）で右回転の向きに揺動させ、これによって、餌魚に抱きついているイカに支持杆５１の先端に配設した掛針３を掛け、イカをばらさずに釣り上げることができるようにしている。
【先行技術文献】
【特許文献】
【０００４】
【特許文献１】特開２００２−５１６７６号公報
【特許文献２】特開２００３−７０３９９号公報
【考案の概要】
【考案が解決しようとする課題】
【０００５】
ところで、このイカ釣り用ヤエン５０は、イカに支持杆５１の先端に配設した掛針３を掛けるために道糸４を一旦弛ませたときに、ヤエン５０が道糸４の先端から逆方向に移動し、道糸４の先端に取り付けた餌魚の下方、すなわち、餌魚に抱きついているイカの下方位置から外れてしまい、餌魚に抱きついているイカに支持杆５１の先端に配設した掛針３を掛けることができず、イカをばらしてしまうことが多いという問題があった。
【０００６】
本考案は、上記従来のイカ釣り用ヤエンの有する問題点に鑑み、ヤエンをイカの下方に位置させた後に、イカに掛針を確実に掛けることができるイカ釣り用ヤエンを提供することを目的とする。
【課題を解決するための手段】
【０００７】
上記目的を達成するため、本考案のイカ釣り用ヤエンは、線材からなる支持杆と、該支持杆の先端側に配設した掛針と、支持杆の基端側及びそれより掛針側の位置に立設した支柱のそれぞれの先端に配設した線材を螺旋形状に形成してなる道糸挿通部とを備えたイカ釣り用ヤエンにおいて、前記掛針側の道糸挿通部が、該道糸挿通部の道糸挿通空間の頂部が鋭角をなし、かつ、隣接する線材間に道糸の先端に配設した嵌合体が嵌り込む隙間を設けて２回以上周回して形成されてなることを特徴とする。
【０００８】
この場合において、前記嵌合体を、サルカンとすることができる。
【０００９】
また、前記掛針側の道糸挿通部の反掛針側に、道糸を案内する回転体を配設することができる。
【００１０】
また、前記支持杆を、主支持杆と、該主支持杆の先端側に向けて延出するように、主支持杆の途中から分岐させて取り付けた副支持杆とから構成し、主支持杆及び副支持杆の少なくとも先端に掛針を配設するとともに、主支持杆に対する副支持杆の分岐位置を調節する分岐位置調節手段を備えることができる。
【００１１】
また、前記支持杆の基端に、発光部材を取り付ける取付部を形成することができる。
【考案の効果】
【００１２】
本考案のイカ釣り用ヤエンによれば、掛針側の道糸挿通部が、該道糸挿通部の道糸挿通空間の頂部が鋭角をなし、かつ、隣接する線材間に道糸の先端に配設した嵌合体が嵌り込む隙間を設けて２回以上周回して形成することにより、ヤエンをイカの下方に位置させた後に、道糸を一旦弛ませたときに、道糸挿通部の隙間に道糸の先端に配設した嵌合体が嵌り込んで、ヤエンが道糸の先端から逆方向に移動することを防止できる。
これにより、ヤエンをイカの下方に位置させた状態で揺動させ、これによって、餌魚に抱きついているイカに支持杆の先端に配設した掛針を確実に掛けることができ、イカをばらさずに釣り上げることができる。
【００１３】
また、前記嵌合体を、サルカンとすることにより、道糸と餌魚を取り付ける仕掛けの間に必ず使用するサルカンを嵌合体として使用し、別途、道糸に嵌合体を配設する必要がない。
【００１４】
また、前記掛針側の道糸挿通部の反掛針側に、道糸を案内する回転体を配設することにより、海中にヤエンを投入した後、ヤエンを、円滑に餌魚の位置まで到達させることができる。
【００１５】
また、前記支持杆を、主支持杆と、該主支持杆の先端側に向けて延出するように、主支持杆の途中から分岐させて取り付けた副支持杆とから構成し、主支持杆及び副支持杆の少なくとも先端に掛針を配設するとともに、主支持杆に対する副支持杆の分岐位置を調節する分岐位置調節手段を備えることにより、主支持杆及び副支持杆に配設した掛針の位置を調節することができる。この場合、分岐位置を主支持杆の基端側に設定することによって、主支持杆及び副支持杆の掛針の配設位置を異なる高さに、また、分岐位置を主支持杆の先端側に設定することによって、主支持杆及び副支持杆の掛針の配設位置を同じ高さに設定することができ、状況に対応した掛針の配設位置に設定することができる。
【００１６】
また、前記支持杆の基端に、発光部材を取り付ける取付部を形成することにより、ヤエンに発光部材を容易かつ確実に取り付けることができ、発光部材によって海中に投入したイカ釣り用ヤエンの位置を容易に確認することができる。
【図面の簡単な説明】
【００１７】
【図１】本考案のイカ釣り用ヤエンの一実施例を示し、（ａ）は正面図、（ｂ）は平面図である。
【図２】同イカ釣り用ヤエンの掛針側の道糸挿通部を示す拡大図で、（ａ）は斜視図、（ｂ）は正面図である。
【図３】掛針側の道糸挿通部間に嵌合体が嵌り込む状態を説明する概略図で、（ａ）は嵌合前を、（ｂ）は嵌合後を示す。説明図である。
【図４】主支持杆から副支持杆を分岐した支持杆を示す正面図で、（ａ）は分岐位置を主支持杆の基端側に設定した状態を、（ｂ）は分岐位置を主支持杆の先端側に設定した状態を示す。
【図５】発光部材の取付部を示す説明図で、（ａ）は取り付け前の状態を、（ｂ）は取り付け後の状態を示す。である。
【図６】本考案のイカ釣り用ヤエンを使ったイカ釣りを説明する概略図で、（ａ）はイカ釣り用ヤエンが餌魚の位置に到達した状態を、（ｂ）はイカが餌魚を捕食しながら二行としている状態を示す。
【図７】従来のイカ釣り用ヤエンを示し、（ａ）は正面図、（ｂ）は平面図である。
【考案を実施するための形態】
【００１８】
以下、本考案のイカ釣り用ヤエンの実施の形態を、図面に基づいて説明する。
【実施例１】
【００１９】
図１〜図６に、本考案のイカ釣り用ヤエンの一実施例を示す。
このイカ釣り用ヤエン１は、線材からなる支持杆１０と、該支持杆１０の先端１０ｂ側に配設した掛針３と、支持杆１０の基端１０ａ側及びそれより掛針３側の位置に立設した支柱２０Ａ、２０Ｂのそれぞれの先端に配設した線材を螺旋形状に形成してなる道糸挿通部２Ａ、２Ｂとを備え、掛針３側の道糸挿通部２Ａが、該道糸挿通部２Ａの道糸挿通空間２１の頂部２１ａが鋭角をなし、かつ、隣接する線材間に道糸４の先端に配設した嵌合体５が嵌り込む隙間２２を設けて２回以上周回して形成されてなる。
【００２０】
より具体的には、支持杆１０は、線材、例えば、直径が１ｍｍ程度のステンレス鋼線や鉄線からなる。
そして、基端１０ａ側の支柱２０Ｂ及び道糸挿通部２Ｂは、１本の線材を曲げ加工することによって一体に成形し、半田付け（ろう付け）等の固定手段により、支持杆１０に固定する。
また、基端１０ａ側の支柱２０Ｂより所定間隔を開けて立設する支柱２０Ａは、その先端に、道糸挿通空間２１の頂部２１ａが鋭角をなし、かつ、２回周回し、隙間２２を開けて２つ道糸挿通空間２１が形成される道糸挿通部２Ａを形成し、半田付け（ろう付け）等の固定手段により、支持杆１０に固定する。
この支柱２０Ａの高さは、基端１０ａ側の支柱２０Ｂよりも低い高さとし、海中に投入されたヤエン１が、道糸４に沿って海中を移動し、道糸４の先端に取り付けた餌魚の下方、すなわち、餌魚に抱きついているイカの下方に円滑に到達するようにしている。
また、道糸挿通空間２１を形成する道糸挿通部２Ａは、支柱２０Ａ以外に、図１に示すように、補助支柱２３によって支持され、支柱２０Ａと支持杆１０との取り付け角度を直角に保持するようにしている。
【００２１】
また、隙間２２に嵌り込む嵌合体５を、サルカン５Ａとすることにより、道糸４と餌魚を取り付ける仕掛けの間に必ず使用するサルカン５Ａを嵌合体５として使用することができ、釣り人に、別途、道糸４に嵌合体５を取り付ける手間をかけさせることがない。
【００２２】
隣接する線材が形成する隙間２２の距離Ｌは、図３に示すように、嵌合体５として用いるサルカン５Ａの寸法Ｌ’と略同一の寸法（若干大とする）とし、ヤエン１を海中に投入し、掛針３側に少なくとも２つ形成される、道糸挿通空間２１のうち、掛針３側の道糸挿通空間２１を、サルカン５Ａが越えたときに、サルカン５Ａが隙間２２に嵌り込むようにしている。
【００２３】
また、掛針３側の道糸挿通部２Ａの反掛針側に、道糸４を案内する回転体６を配設するようにしている。
この回転体６は、海中に投入されたヤエン１が、道糸４に沿って海中を移動し、道糸４の先端に取り付けた餌魚の下方、すなわち、餌魚に抱きついているイカの下方に円滑に到達するようにするものであれば、特にその構成は限定されるものではなく、各種の回転体をしようすることができる。
そして、本実施例においては、道糸４が嵌って案内される溝部６１を有するベアリングを備えたプーリ６０と、プーリ６０の中心に貫通されるプーリ６０を回動自在に支持する軸部６２とからなり、この軸部６２は、２回以上周回して道糸挿通部２Ａを形成した線材を、支持杆１０に対して直交方向に屈曲させることによって利用するようにしている。
また、プーリ６０の中心を貫通した線材は、さらに反掛針側で螺旋形状を形成し、回転体６に道糸４を案内する道糸挿通部２Ｃを形成することもできる。
これによって、回転体６によって案内される道糸４が回転体６から外れることを有効に防止することができる。
なお、回転体６を省略することもできる。
【００２４】
また、掛針３は、複数の針が放射状に任意の方向に突出する形状に形成することが好ましいが、その形状並びに支持杆１０に対する配設位置及び個数は、任意に設定することができる。
【００２５】
また、図４に示すように、支持杆１０を、主支持杆１１と、主支持杆１１の先端側に向けて延出するように、主支持杆１１の途中から分岐させて取り付けた副支持杆１２とから構成し、主支持杆１１及び副支持杆１２の少なくとも先端に掛針３を配設するとともに、主支持杆１１に対する副支持杆１２の分岐位置を調節する分岐位置調節手段１３を備えることができる。
【００２６】
主支持杆１１及び副支持杆１２は、支持杆１０と同様、線材、例えば、直径が１ｍｍ程度のステンレス鋼線や鉄線を用い、主支持杆１１に対して、副支持杆１２の基端を、半田付け（ろう付け）等の固定手段により固定する。
そして、主支持杆１１に対する、副支持杆１２の固定端よりも先端側に、主支持杆１１に対する副支持杆１２の分岐位置を調節する分岐位置調節手段１３を配設する。
分岐位置調節手段１３は、主支持杆１１及び副支持杆１２とを密接させながら摺動する環状体からなり、主支持杆１１に対する、副支持杆１２の固定端、本実施例においては、支柱２０Ａの下端から主支持杆１１に配設した掛針３の間を移動し、主支持杆１１に対する副支持杆１２の分岐位置をかかる範囲で自由に選択することができるように構成している。
【００２７】
また、主支持杆１１に配設する掛針３は、支持杆１０と同様、複数配設することができるが、本実施例においては、構造上、主支持杆１１の上に副支持杆１２が位置するように配設することから、先端に１つの掛針３を配設するようにしている。
一方、副支持杆１２に配設する掛針３は、少なくとも先端に１つの掛針３を配設すればよいが、本実施例においては、先端とそれよりも基端側に１つの掛針３を配設するようにしている。
【００２８】
そして、図４（ａ）に示すように、分岐位置を主支持杆１１の基端側に設定することによって、主支持杆１１及び副支持杆１２の掛針３の配設位置を異なる高さ、具体的には、副支持杆１２の掛針３の配設位置を、主支持杆１１の掛針３の配設位置より高い位置に設定することができ、また、図４（ｂ）に示すように、分岐位置を主支持杆１１の先端側に設定することによって、主支持杆１１及び副支持杆１２の掛針３の配設位置を同じ高さに設定することができ、状況に対応した掛針の配設位置に設定することができる。
【００２９】
また、支持杆１０の基端１０ａに、発光部材９を取り付ける取付部８を形成することができる。
【００３０】
取付部８は、発光部材９を支持杆１０の基端１０ａに固定することができる構造であれば、特に限定するものではないが、本実施例においては、図５（ａ）に示すように、ゴム等を用いた筒状の弾性体からなる取付部材９１の一端の開口部９１ａに嵌入して取付部材９１を取り付ける球状体からなる取付部８を、支持杆１０を延設した基端１０ａに配設するようにしている。
そして、図５（ｂ）に示すように、取付部材９１の他端の開口部９１ｂに、円柱状の発光部材９を嵌入することによって、支持杆１０の基端１０ａに、発光部材９を取り付けることができる。
【００３１】
発光部材９は、海中に投入したヤエン１の位置を確認することができるものであれば、特に限定するものではないが、例えば、ケミホタル（商品名（登録商標））を使用することができる。
【００３２】
次に、このイカ釣り用ヤエン１を使ったイカの釣り方について説明する。
【００３３】
まず、道糸４の先端に、餌魚（例えば、アジ等）を取り付け、海中に投入してイカのアタリを待つ。
イカが、餌魚を捕食しようと餌魚に抱きつき、道糸４を介して、イカのアタリが釣り人に伝わったときに、道糸４に、道糸挿通部２Ａ、２Ｂ、２Ｃ及び回転体６を介してヤエン１を取り付けて、海中に投入する。
【００３４】
ヤエン１は、道糸４が嵌り込んだ状態の回転体６が回転することによって、円滑に餌魚の位置まで滑り落ちていき、図３（ｂ）に示すように、道糸挿通部２Ａの道糸挿通空間２１、２１間の隙間２２に嵌合体としてのサルカン５Ａが嵌り込む。
このとき、ヤエン１の掛針３は、イカの下方に位置することとなる。
【００３５】
この状態で道糸４を一旦弛ませることにより、ヤエン１を基端側の道糸挿通部２Ａを中心にして図６（ｂ）で右回転の向きＡに揺動させ、これによって、餌魚に抱きついているイカに掛針３を掛けるようにする。
そして、このとき、道糸挿通部２Ａの道糸挿通空間２１、２１間の隙間２２に嵌合体としてのサルカン５Ａが嵌り込んで、ヤエン１が道糸４の先端から逆方向に移動することを防止できる。
これにより、掛針３をイカの下方に位置させた状態でヤエン１を揺動させることができ、これによって、餌魚に抱きついているイカに掛針３を確実に掛けることができ、イカをばらさずに釣り上げることができる。
【００３６】
以上、本考案のイカ釣り用ヤエンについて、その実施例に基づいて説明したが、本考案は上記実施例に記載した構成に限定されるものではなく、その趣旨を逸脱しない範囲において適宜その構成を変更することができるものである。
【産業上の利用可能性】
【００３７】
本考案のイカ釣り用ヤエンは、ヤエンをイカの下方に位置させた後に、イカに掛針を確実に掛けることができることから、アオリイカ等のイカ釣りに用いられるヤエンの用途に好適に用いることができる。
【符号の説明】
【００３８】
１    イカ釣り用ヤエン
２Ａ  道糸挿通部
２Ｂ  道糸挿通部
２Ｃ  道糸挿通部
２０Ａ  支柱
２０Ｂ  支柱
２１  道糸挿通空間
２１ａ  頂部
２２  隙間
３    掛針
４    道糸
５    嵌合体
５Ａ  サルカン
６    回転体
８    取付部
９    発光部材
１０  支持杆
１０ａ  基端
１０ｂ  先端
１１  主支持杆
１２  副支持杆
１３  分岐位置調節手段
【図１】
0003161012.tif 000003
【図２】
0003161012.tif 000004
【図３】
0003161012.tif 000005
【図４】
0003161012.tif 000006
【図５】
0003161012.tif 000007
【図６】
0003161012.tif 000008
【図７】
0003161012.tif 000009